(57)【要約】【課題】任意の位置に棚板を取り付けることができることから、使用状況、使用者の体格などに合わせて便利に使用できる家具を提供する。【解決手段】天板と、この天板を水平に支持する脚部と、天板の少なくとも一辺の縁部から上方にのびる立上げ部と、水平に支持される棚板を有する可動棚とを具え、前記可動棚は、棚板と、この棚板の端部から、この棚板に対し直角にのびる一対の支持軸材と、この支持軸材の外面に設けた取付具とを含み、この取付具を脚部、又は立上げ部に着脱可能に係合することにより棚板を任意の位置に支持できることを特徴とする。【選択図】図１
0003130151.tif 000002
【実用新案登録請求の範囲】
【請求項１】
天板と、この天板を水平に支持する脚部と、天板の少なくとも一辺の縁部から上方にのびる立上げ部と、水平に支持される棚板を有する可動棚とを具え、
前記可動棚は、棚板と、この棚板の端部から、この棚板に対し直角にのびる一対の支持軸材と、この支持軸材の外面に設けた取付具とを含み、この取付具を脚部、又は立上げ部に着脱可能に係合することにより棚板を任意の位置に支持できることを特徴とする家具。
【請求項２】
前記可動棚は、竪軸と横軸とがＬ字状に連続したＬ枠材の前記横軸を前記棚板の両側部に固着して形成され、
前記竪軸は、その外面に取付具が固着されて前記支持軸材を構成することを特徴とする請求項１記載の家具。
【請求項３】
前記立上げ部は、垂直に立ち上がるとともに左右に配された一対の竪枠と、この竪枠の上端部間に架け渡された頭継ぎ材と、上下に一定間隔で平行に並び前記竪枠の間に架け渡される複数の横桟とを具え、
前記取付具は、一対が支持軸材の上下に前記一定間隔を隔てて設けられ、各取付具が任意高さの前記横桟に係合することによって、立上げ部の任意の位置に棚板を支持できることを特徴とする請求項１又は２記載の家具。
【請求項４】
前記脚部は、垂直にのびるとともに左右に配された一対の支脚材と、この支脚材の上端部間に架け渡された上継ぎ材と、上下に一定間隔で平行に並び前記支脚材の間に架け渡された複数の横桟とを具え、
前記取付具は、一対が支持軸材の上下に前記一定間隔を隔てて設けられ、各取付具が前記任意高さの横桟に係合することによって、脚部の任意の位置に棚板を支持できることを特徴とする請求項１〜３のいずれかに記載の家具。
【請求項５】
前記取付具は、前記横桟に係合しうる鍵形状をなすとともに支持軸材に対し上下反転可能に形成されて双方向取付具を構成し、
この双方向取付具によって棚板の端部から立ち上がる姿勢の可動棚を横桟に係合でき、かつ上下反転した双方向取付具によって棚板から支持軸材が垂下する姿勢の可動棚を横桟に係合できることを特徴とする請求項１〜４のいずれかに記載の家具。
【請求項６】
前記立上げ部は、竪枠の下部分を、前記支脚材の上部分に重ね合わせるとともに固着することによって、支持されることを特徴とする請求項４又は５記載の家具。
【考案の詳細な説明】
【技術分野】
【０００１】
本考案は、所定の高さに支持される天板を有し、この天板上で作業したり、収容物の陳列、保管などの用途に使用される、例えば机、陳列棚その他を含む家具に関する。
【背景技術】
【０００２】
天板以外に、多くの物を収容して便利に使用するため、家具には各種構造の棚板が設けられる。例えば図８に示すように、天板ａを支持する左右の支柱ｂ、ｂの間に、垂直な背板状の棚板支持体ｄを上下方向に昇降・固定可能に支持するとともに、この棚板支持体ｄの前面側に必要な数の棚板ｆを装着した机が提案されている（例えば、特許文献１参照）。
【０００３】
この机においては、棚板支持体ｄを支柱ｂにて対して昇降・固定することによって、棚板ｆの高さを上下に調整できるため、使用状況、使用者の体格などの諸条件に応じて便利に使用することができる。
【０００４】
【特許文献１】特開平１１−１８８４１号公報
【考案の開示】
【考案が解決しようとする課題】
【０００５】
しかしながら、棚板支持体ｄを昇降させると全ての棚板ｆの支持位置が一斉に変化することから、一つ一つの棚板ｆを各々の最適位置に調整することができないため、収容物の出し入れ時に不自然な姿勢を強要されたり、収容物が一覧できないなど、使用上の不便を生じている。
【０００６】
また棚板支持体ｄに棚板ｆを支持させることから、棚板ｆを設ける位置が棚板支持体ｄの前面に限られる。従って例えば両手がのばし易い位置である天板ａの側部に棚板ｆを設けることができないなど、使い勝手が悪いという問題もある。
【０００７】
本考案は、可動棚の支持軸材の外面に設けた取付具を脚部、又は立上げ部に着脱可能に係合することを基本とし、任意の位置に棚板を取り付けることができることから、使用状況、使用者の体格などに合わせて便利に使用できる家具の提供を課題としている。
【課題を解決するための手段】
【０００８】
前記目的を達成するために、請求項１に係る考案では、天板と、この天板を水平に支持する脚部と、天板の少なくとも一辺の縁部から上方にのびる立上げ部と、水平に支持される棚板を有する可動棚とを具え、前記可動棚は、棚板と、この棚板の端部から、この棚板に対し直角にのびる一対の支持軸材と、この支持軸材の外面に設けた取付具とを含み、この取付具を脚部、又は立上げ部に着脱可能に係合することにより棚板を任意の位置に支持できることを特徴とする。
【０００９】
請求項２に係る考案では、前記可動棚は、竪軸と横軸とがＬ字状に連続したＬ枠材の前記横軸を前記棚板の両側部に固着して形成され、前記竪軸は、その外面に取付具が固着されて前記支持軸材を構成することを特徴とする。
【００１０】
請求項３に係る考案において、前記立上げ部は、垂直に立ち上がるとともに左右に配された一対の竪枠と、この竪枠の上端部間に架け渡された頭継ぎ材と、上下に一定間隔で平行に並び前記竪枠の間に架け渡される複数の横桟とを具え、前記取付具は、一対が支持軸材の上下に前記一定間隔を隔てて設けられ、各取付具が任意高さの前記横桟に係合することによって、立上げ部の任意の位置に棚板を支持できることを特徴とする。
【００１１】
請求項４に係る考案において、前記脚部は、垂直にのびるとともに左右に配された一対の支脚材と、この支脚材の上端部間に架け渡された上継ぎ材と、上下に一定間隔で平行に並び前記支脚材の間に架け渡された複数の横桟とを具え、前記取付具は、一対が支持軸材の上下に前記一定間隔を隔てて設けられ、各取付具が前記任意高さの横桟に係合することによって、脚部の任意の位置に棚板を支持できることを特徴とする。
【００１２】
請求項５に係る考案において、前記取付具は、前記横桟に係合しうる鍵形状をなすとともに支持軸材に対し上下反転可能に形成されて双方向取付具を構成し、この双方向取付具によって棚板の端部から立ち上がる姿勢の可動棚を横桟に係合でき、かつ上下反転した双方向取付具によって棚板から支持軸材が垂下する姿勢の可動棚を横桟に係合できることを特徴とする。
【００１３】
請求項６に係る考案において、前記立上げ部は、竪枠の下部分を、前記支脚材の上部分に重ね合わせるとともに固着することによって、支持されることを特徴とする。
【考案の効果】
【００１４】
請求項１に係る考案においては、可動棚は、支持軸材の外面に設けた取付具を脚部、又は立上げ部に着脱可能に係合して棚板を任意の位置に支持できるように構成しているため、用途、設置場所・環境などの使用条件、使用者の年齢・体格その他使用者の状況など様々な場合に対応して、棚板を設けることができる。従って、使い勝手に優れ、多くの物を収容できるとともに、その所在が見易いことから出し入れが簡単で整理もし易い。また、収容物が増えた場合には、新たな可動棚を増設して収容量を増やすことができる。
【００１５】
請求項２に係る考案のように、Ｌ枠材の横軸を棚板の両側部に固着して形成した可動棚を形成し、Ｌ枠材の竪軸に取付具を固着して支持軸材を構成すると、左右のＬ枠材に支持されて堅牢な可動棚が形成されるため、重い収容物を安定して支持できる。
【００１６】
請求項３に係る考案のように、一対の竪枠、この竪枠の上端部間に架け渡された頭継ぎ材、及び上下に一定間隔で竪枠の間に架け渡された複数の横桟とで立上げ部を構成し、可動棚の取付具を任意高さの前記横桟に係合することにより棚板を支持すると、棚板を立上げ部に対して強固に取付できるため、重い収容物を安定して支持できるとともに、使用条件など状況に応じて立上げ部の最適な位置に棚を設けることで、使い勝手良く便利に使用できる。しかも天板の上方に位置する立上げ部の内側だけでなく、外側にも棚板を設けることができるため、収容量を増加できるとともに、使い勝手を更に高めることができる。
【００１７】
請求項４に係る考案のように、一対の支脚材、この支脚材の上端部間に架け渡された上継ぎ材、及び上下に一定間隔で支脚材の間に架け渡された複数の横桟とで脚部を構成し、可動棚の取付具を任意高さの前記横桟に係合することにより棚板を支持すると、棚板を脚部に対して強固に取付できるため、重い収容物を安定して支持できるとともに、使用条件など状況に応じて脚部の最適な位置に棚を設けることで、使い勝手良く便利に使用できる。しかも、天板の下方に位置する脚部の内側だけでなく、外側にも棚板を設けることができるため、収容量を増加できるとともに、使い勝手を更に高めることができる。
【００１８】
請求項５に係る考案のように、横桟に係合しうる鍵形状をなすとともに支持軸材に対し上下反転可能に形成された双方向取付具を用い、前記立上げ部、又は脚部の比較的低い領域に於いては棚板の端部から立ち上がる姿勢の可動棚を横桟に係合し、反対に比較的低い領域に於いては双方向取付具を上下反転して棚板から支持軸材が垂下する姿勢の可動棚を横桟に係合することにより、立上げ部、又は脚部の略全領域において、簡単にしかも安定して棚板を支持することができる。また請求項６に係る考案のように、立上げ部の竪枠の下部分を、前記支脚材の上部分に重ね合わせるとともに固着して、立上げ部を支持すると、立上げ部を強固に支持できる。しかもノックダウン式の場合には、簡単な作業で組立作業を行なうことができる。
【考案を実施するための最良の形態】
【００１９】
以下、本考案の実施の一形態を、図示例とともに説明する。図１に示すように、家具１は、天板２と、この天板２を水平に支持する脚部３と、天板２の縁部から上方にのびる立上げ部４と、可動棚６とを具える。本形態の家具１は、机（パソコンデスク）の場合を例示しているが、この他に、保管庫、飾り棚などとして構成する場合もある。
【００２０】
前記天板２は、本形態では矩形状をなし、使用状態において水平に支持され、机の作業台を構成する。本形態では、８９０×６００ｍｍの大きさを有し、合板、パーティクルボード、インシュレーションボード、ＭＤＦ（中密度繊維板）などの木質加工板材を用いて形成される。
【００２１】
前記脚部３は、前記天板２の両側部から垂下して形成され、天板２を水平に支持している。本形態の脚部３は、垂直にのびるとともに左右に配された一対の支脚材１５、１５と、この支脚材１５の上端部間に架け渡された上継ぎ材１６と、上下に一定間隔Ｄで平行に並んで支脚材１５の間に架け渡された複数の横桟１４とを具える。前記一定間隔Ｄは、例えば、５０〜２５０ｍｍ程度、好ましくは１００〜２００ｍｍ、本形態では１３４ｍｍとしている。さらに本形態では、左右の支脚材１５と上継ぎ材１６とを連続させ、逆Ｕ字状に曲成した鋼製の丸パイプ材を用いて形成している。前記横桟１４は、細径の丸パイプが使用され、前記支脚材１５、１５の向き合う側面に穿設された丸孔に両端部を嵌合することにより取り付けている。このように鋼製の丸パイプにより組み立てた脚部パイプ部材３Ａを用いて脚部３を形成すると、軽量化できるとともに取扱い性に優れ、しかも外観が向上できる点で好ましい。
【００２２】
図２に示すように、本形態の脚部３は一対が天板２の両側部に配され、その上継ぎ材１６を天板２に固着することによって一体化される。更にこれらをノックダウン方式で組立てる際には、図４に示すように、裏面を上にした天板２の両側縁に、上継ぎ材１６を下にした一対の脚部パイプ部材３Ａを各々立設するとともに、前記上継ぎ材１６を挿通するボルト２１を天板２の裏面に打ち込むことによって天板２と脚部パイプ部材３Ａとを一体化し、天板２に脚部３を取り付ける。また支脚材１５の端部に、キャスター２５のネジ部を螺入することによって、脚部３の下部に４個のキャスター２５を取り付け、図１に示すように家具１を移動可能としている。
【００２３】
本形態では、前記左右の支脚材１５、１５の前記キャスター２５寄りの位置に、長尺板状の継ぎ材２２が架け渡され、これにより脚部３の剛性を高めている。更には左右の脚部３の内側で上継ぎ材１６寄りの高さにスライド支持レール２３、２３を取付け、このスライド支持レール２３、２３の間に天板２よりも奥行き寸法が小さい補助板２４を架け渡している。この補助板２４は、図１に示すように天板２の下側に隠れた位置から手前に引き出すことによって天板２の外側に移動させ、例えばパソコンのキーボード支持台などとして便利に使用することができる。
【００２４】
本形態の立上げ部４は図１に示すように、天板２奥の縁部から上方にのびて形成される。立上げ部４を、天板２の２辺、又は３辺に設けることも良い。また本形態の立上げ部４は図３に示すように、垂直に立ち上がるとともに左右に配された一対の竪枠１２、１２と、この竪枠１２の上端部間に架け渡された頭継ぎ材１３と、上下に一定間隔Ｄで平行に並んで竪枠１２の間に架け渡された複数の横桟１４とを具える。なお横桟１４の一定間隔Ｄは前記脚部３と同寸法に設定される。更に本形態では、左右の竪枠１２と頭継ぎ材１３とを連続させ、逆Ｕ字状に曲成した鋼製の丸パイプ材を用いて形成している。さらに横桟１４は、細径の丸パイプが使用され、前記竪枠１２、１２の向き合う側面に穿設された丸孔に両端部を嵌合することにより取り付けている。このように鋼製の丸パイプにより組み立てた立上げ部パイプ部材４Ａを用いて立上げ部４を形成すると、軽量化できるとともに取扱い性に優れ、しかも外観が向上できる点で好ましい。
【００２５】
ノックダウン方式で組立てる際には、図３に示すように立上げ部４を形成する立上げ部パイプ部材４Ａの竪枠１２の下部分を、前記支脚材１５の上部分に外側から重ね合わせるとともに、この重ね合わせ部分を挿通するボルト２６Ａ及びブラインドナット２６Ｂを螺合することによって双方を固着して、立上げ部４を支持する。このように立上げ部４の竪枠１２の下部分を、支脚材１５の上部分に重ねて固着することから、立上げ部４が強固に支持されるとともに、ノックダウン式の組立の場合には、簡単な作業内容で短時間に組立できる点で好ましい。
【００２６】
前記可動棚６は図５、６に示すように、水平に支持される棚板５と、この棚板５の端部から直角にのびる一対の支持軸材７と、この支持軸材７の外面に設けられる取付具８とを具える。前記棚板５は、本形態では４２０×２５０ｍｍ程度の大きさの矩形状をなし、前記天板２と同様の木質加工板材を用いて形成される。さらに本形態の可動棚６は、前記支持軸材７、７の上端部間に、水平な継ぎ軸材２８を架け渡して、可動棚６の剛性を高めている。しかも継ぎ軸材２８は、持ち手として把持できることから、可動棚６の取扱い性が向上する点で好ましい。
【００２７】
本形態では図５、６に示すように、竪軸９と横軸１０とがＬ字状に連続したＬ枠材１１の横軸１０を、前記棚板５の両側部にボルト２７によって固着している。このように構成することによって、竪軸９が棚板５の端部から棚板５に対し直角にのびて、一対の支持軸材７が形成される。Ｌ枠材１１を用いると、棚板５の左右両側をＬ枠材１１が支持することから、全体として堅牢な可動棚６が構成され、その結果重量の大きな収容物でも安定して支持することができる。
【００２８】
前記取付具８は、脚部３、又は立上げ部４に着脱可能に係合することができる機能を有するものであり、可動棚６の棚板５は、取付具８によって、脚部３、又は立上げ部４の任意の位置に装着できる。また本形態の取付具８は、長矩形板状の基片８Ａと、この基片８Ａの端部から直角に折れ曲がる継ぎ片８Ｂと、更にこの継ぎ片８Ｂの端部から直角に折れ曲がる前片８Ｄとを含んで鍵形状に形成され、前記脚部３、又は立上げ部４の任意高さの横桟１４に係合できる。このような取付具８を用いることにより図１に示すように、用途、設置場所・環境などの使用条件、使用者の年齢・体格その他使用者の状況など様々な状況に対応して、棚板５を任意の位置に自在に設けることができるため、使い勝手に優れ、多くの物を収容できるとともに、収容物の所在が使用者から見え易く、また出し入れが簡単で整理もし易い。更には、収容物が増えた場合には、新たな可動棚を増設して収容量を増やすことができる。
【００２９】
天板２から上にのびる立上げ部４に対しては、この立上げ部４の両側から取付具８を係合できることから、天板２の上方に位置する立上げ部４の内側だけでなく、外側にも棚板５を設けることができるため、収容量を増加できるとともに、使い勝手を更に高めることができる。同様に、天板２の下に位置する脚部３に対しても、脚部３の内側だけでなく外側にも棚板５を設けることができ、収容量の増加と、使い勝手を高めることができる。
【００３０】
本形態の取付具８は図５に示すように、前記脚部３、又は立上げ部４の横桟１４の一定間隔Ｄと同じ間隔を隔てて、２個が支持軸材７の外面に取り付けられる。従って、横桟１４に対し、上下２箇所づつで係合支持されることから、棚板５を脚部３、立上げ部４に対して強固に取付できるため、重い収容物を安定して支持できるとともに、使用条件など状況に応じて脚部３、立上げ部４の最適な位置に棚板５を設けることで、使い勝手良く便利に使用できる。
【００３１】
さらに本形態の取付具８は図６、７に示すように、可動棚６の支持軸材７を貫通するとともに、取付具８の前記基片８Ａを挿通したカシメ２９によって、支持軸材７に回動可能に軸着している。なお前記取付具８をスムースに回動させるために、支持軸材７と基片８Ａとの間に座金３０を介装している。このようして取付具８を回動可能に取り付けることによって、上下に反転可能な双方向取付具８Ｒが形成される。
【００３２】
前記双方向取付具８Ｒを用いると、図７（Ａ）に示すように支持軸材７が棚板５の端部から立ち上がる姿勢の可動棚６を横桟１４に係合すると、前記立上げ部４、又は脚部３の比較的低い領域に於いても、支持軸材７の下端が天板２、又は床面などと干渉することなく可動棚６を取付できる。また図７（Ｂ）に示すように双方向取付具８Ｒを上下反転させて、棚板５から支持軸材７が垂下する姿勢の可動棚６を横桟１４に係合すると、前記立上げ部４、又は脚部３の比較的高い領域に於いても、支持軸材７の上端が立上げ部４から上に突出したり、又は天板２の下面と干渉することなく可動棚６を取り付けできる。このように取付位置に応じて適宜双方向取付具８Ｒを反転させて使用することにより、立上げ部４、又は脚部３の略全領域において、安定して見栄えを損ねることなく、しかも簡単に棚板５を支持することができる点で好ましい。
【００３３】
尚、叙上の説明は本考案の実施の形態を例示したものである。従って本考案の技術的範囲はこれに何ら限定されるものではなく、前記した実施の形態の他にも、各種の変形例が含まれる。
【図面の簡単な説明】
【００３４】
【図１】本考案の一実施の形態を例示する斜視図である。
【図２】天板及び脚部の分解斜視図である。
【図３】立上げ部の分解斜視図である。
【図４】組み立て状態を説明する斜視図である。
【図５】可動棚の分解斜視図である。
【図６】可動棚の斜視図である。
【図７】（Ａ）（Ｂ）は可動棚の異なる使用状態を説明する側面図である。
【図８】従来例の斜視図である。
【符号の説明】
【００３５】
１      家具
２      天板
３      脚部
４      立上げ部
５      棚板
６      可動棚
７      支持軸材
８      取付具
８Ｒ    双方向取付具
９      竪軸
１０      横軸
１１      Ｌ枠材
１２      竪枠
１３      頭継ぎ材
１４      横桟
１５      支脚材
１６      上継ぎ材
Ｄ      一定間隔
【図１】
0003130151.tif 000003
【図２】
0003130151.tif 000004
【図３】
0003130151.tif 000005
【図４】
0003130151.tif 000006
【図５】
0003130151.tif 000007
【図６】
0003130151.tif 000008
【図７】
0003130151.tif 000009
【図８】
0003130151.tif 000010